【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
燃料供給源を備えたハウジングと、
前記ハウジングから延びている作動部材とを有し、前記作動部材は、燃料に着火する少なくとも１つの段階を選択的に遂行すべく移動可能であり、
前記ハウジングから延びている制止部材を更に有し、
前記制止部材は、初期位置又は第一位置に付勢されて、作動部材が燃料に着火する少なくとも１つの段階を遂行することを可能にし、
前記作動部材は、第一軸線にそって移動可能であり、前記制止部材は、第二軸線にそって移動可能であり、前記第二軸線は、第一軸線に実質的に平行であり、
前記制止部材を前記第二軸線にそって第二位置まで所定距離だけ移動させると、前記作動部材が、燃料に着火する少なくとも１つの段階を遂行することが妨げられる、
ことを特徴とするライター。
【請求項２】
前記制止部材を所定距離だけ移動させると、前記作動部材が、燃料に着火する少なくとも１つの段階を遂行すべく充分に移動することが妨げられることを特徴とする、請求項１に記載のライター。
【請求項３】
ブロッキング部材を更に有し、前記制止部材を所定距離だけ移動させると、前記作動部材が燃料に着火する少なくとも１つの段階を遂行すべく充分に移動することが、前記ブロッキング部材により妨げられることを特徴とする、請求項２に記載のライター。
【請求項４】
前記ブロッキング部材は前記作動部材と係合して、前記作動部材が燃料に着火する少なくとも１つの段階を遂行すべく充分に移動することを妨げることを特徴とする、請求項３に記載のライター。
【請求項５】
前記制止部材および前記ブロッキング部材は一体に形成されていることを特徴とする、請求項３に記載のライター。
【請求項６】
前記制止部材は、前記作動部材が燃料に着火する少なくとも１つの段階を遂行すべく充分に移動できる第一位置と、前記制止部材が、燃料に着火する少なくとも１つの段階を遂行すべく前記作動部材が充分に移動することを妨げる第二位置との間で移動でき、制止部材は第一位置の方向に付勢されていることを特徴とする、請求項２に記載のライター。
【請求項７】
前記制止部材を第一位置の方向に付勢する弾性要素を更に有することを特徴とする、請求項６に記載のライター。
【請求項８】
前記作動部材は、前記制止部材が第二位置にあるときに移動可能であることを特徴とする、請求項６に記載のライター。
【請求項９】
前記作動部材は、前記制止部材が第二位置にあるときに、移動が防止されることを特徴とする、請求項６に記載のライター。
【請求項１０】
前記制止部材は第一端部および第二端部を有し、前記制止部材が第二位置にあるとき、第一端部はハウジングから延び、一方、第二端部は前記作動部材に接触することを特徴とする、請求項６に記載のライター。
【請求項１１】
前記制止部材を移動させると、前記作動部材がスパークを発生させて燃料に着火することが妨げられることを特徴とする、請求項１に記載のライター。
【請求項１２】
燃料を放出するノズルを更に有し、制止部材を所定距離だけ移動させると、前記作動部材がノズルの近くでスパークを発生することが妨げられることを特徴とする、請求項１１に記載のライター。
【請求項１３】
前記燃料供給源をノズルに連結する導管を更に有し、制止部材を所定距離だけ移動させると、炎を発生させるべく導管の少なくとも一部を通って充分な燃料が流れることが実質的に妨げられることを特徴とする、請求項１２に記載のライター。
【請求項１４】
前記制止部材を所定距離だけ移動させると、ノズルでのスパークの発生が妨げられることを特徴とする、請求項１２に記載のライター。
【請求項１５】
燃料供給源を備えたハウジングと、
燃料を放出させるべく作動する弁と、
スパークを発生させるべく作動する着火機構と、
前記ハウジングから延びている作動部材とを有し、前記作動部材を第一距離だけ移動させると、前記弁および前記着火機構の少なくとも一方が作動され、
前記ハウジングから延びておりかつ第一位置と第二位置との間で移動できる制止部材を更に有し、
前記制止部材が第一位置にあるとき、前記作動部材は第一距離を移動でき、
前記制止部材が第二位置にあるとき、前記作動部材は第一距離を移動することが妨げられ、
前記制止部材は、その初期の静止位置において、第一位置の方向に付勢されている、
ことを特徴とするライター。
【請求項１６】
前記制止部材が第二位置にあるとき、前記作動部材は、第一距離より小さい第二距離を移動できることを特徴とする、請求項１５に記載のライター。
【請求項１７】
前記制止部材が第二位置にあるとき、前記作動部材は移動することが実質的に妨げられることを特徴とする、請求項１５に記載のライター。
【請求項１８】
前記制止部材を第一位置の方向に付勢する弾性部材を更に有することを特徴とする、請求項１５記載のライター。
【請求項１９】
前記制止部材に関連するブロッキング部材を更に有し、前記制止部材が第二位置にあるときに、前記ブロッキング部材が作動部材と係合することを特徴とする、請求項１５に記載のライター。
【請求項２０】
前記制止部材および前記ブロッキング部材は一体に形成されていることを特徴とする、請求項１９に記載のライター。
【請求項２１】
前記制止部材が第一位置にあるとき、前記ブロッキング部材は前記作動部材から第一距離だけ間隔を隔て、前記制止部材が第二位置にあるとき、前記ブロッキング部材は前記作動部材から第二距離だけ間隔を隔て、前記第二距離は前記第一距離より小さいことを特徴とする、請求項１９に記載のライター。
【請求項２２】
前記ブロッキング部材は、前記作動部材のキャビティ内に配置されていることを特徴とする、請求項１９に記載のライター。
【請求項２３】
ノズルと連通する燃料供給源を備えたハウジングと、
スパークを発生させるべく作動して、ノズルの近くで燃料に着火する着火機構と、
前記ハウジングから延びておりかつ前記燃料供給源から燃料を放出させるべく移動できる作動部材と、
前記ハウジングから延びており、かつ、初期の静止位置において、第一の初期位置の方向に付勢されている制止部材とを有し、
前記制止部材は、前記ノズルからの燃料の放出を妨げるべく第二位置に移動できる、
ことを特徴とするライター。
【請求項２４】
前記制止部材を第一位置に付勢する弾性要素を更に有することを特徴とする、請求項２３に記載のライター。
【請求項２５】
前記燃料供給源からノズルまで延びる導管を更に有し、前記制止部材が第二位置にあるとき、燃料は、前記導管の少なくとも一部を通って流れることが妨げられることを特徴とする、請求項１０又は２３に記載のライター。
【請求項２６】
前記導管に関連するピストンを更に有し、前記制止部材が第二位置にあるとき、前記ピストンは、燃料が前記導管の少なくとも一部を通って流れることを妨げることを特徴とする、請求項２５に記載のライター。
【請求項２７】
前記ピストンは前記導管内に配置されていることを特徴とする、請求項２４に記載のライター。
【請求項２８】
前記導管の第一部分を前記導管の第二部分に連結する接続部を更に有し、前記ピストンは前記接続部内に配置されていることを特徴とする、請求項２４に記載のライター。
【請求項２９】
前記ピストンは、燃料が前記接続部を通って流れる第一位置の方向に常時付勢されていることを特徴とする、請求項２４に記載のライター。
【請求項３０】
前記ピストンを第一位置の方向に付勢する弾性要素を更に有することを特徴とする、請求項２９に記載のライター。
【請求項３１】
前記制止部材を第二位置に移動させると、前記ピストンは、燃料が前記接続部を通って流れることが妨げられる第二位置に移動されることを特徴とする、請求項２９に記載のライター。
【請求項３２】
前記作動部材を高力モードから低力モードに選択的に切換えるべく、使用者が移動させることができるラッチ部材を更に有することを特徴とする、請求項１、１５、２３のいずれか１項に記載のライター。
【請求項３３】
前記作動部材が高力モードにあるときに、前記作動部材を移動させて燃料を放出させるのに第一作動力が必要とされ、前記作動部材が低力モードにあるときに、前記作動部材を移動させて燃料を放出させるのに第二作動力が必要とされ、前記第一作動力は前記第二作動力より大きいことを特徴とする、請求項３２に記載のライター。
【請求項３４】
前記作動部材は第一方向に移動でき、前記制止部材は前記第一方向とは実質的に逆の第二方向に移動できることを特徴とする、請求項１、１５、２３のいずれか１項に記載のライター。
【請求項３５】
前記作動部材は第一軸線に沿って移動でき、前記制止部材は前記第一軸線に対して実質的に平行な第二軸線に沿って移動できることを特徴とする、請求項１又は２３に記載のライター。
【請求項３６】
前記ハウジングは近位端および遠位端を有し、前記制止部材は前記近位端から延びていることを特徴とする、請求項１、１５、２３のいずれか１項に記載のライター。
【請求項３７】
前記近位端は実質的に鈍状または平らであることを特徴とする、請求項３６に記載のライター。
【請求項３８】
前記作動部材は第一軸線に沿って移動でき、前記近位端の少なくとも一部は前記第一軸線に対して実質的に垂直であることを特徴とする、請求項３６に記載のライター。
【請求項３９】
前記遠位端から延びているワンド部材を更に有し、前記ワンド部材は開位置と閉位置との間でピボット回転できることを特徴とする、請求項３８に記載のライター。
【請求項４０】
前記制止部材に関連する大型接触面を更に有し、前記接触面は前記ハウジングの近位端の約１／２より大きい部分をカバーすることを特徴とする、請求項１、１５、２３のいずれか１項に記載のライター。
【請求項４１】
前記接触面は前記ハウジングの近位端の実質的に全てをカバーすることを特徴とする、請求項４０記載のライター。
【請求項４２】
前記接触面および前記制止部材の少なくとも一部は一体に形成されていることを特徴とする、請求項４０に記載のライター。
【請求項４３】
前記接触面は前記制止部材に作用するビームであることを特徴とする、請求項４０に記載のライター。
【請求項４４】
前記ビームは、ピボット部材により前記ハウジングにピボット回転できるように連結されていることを特徴とする、請求項４３に記載のライター。
【請求項４５】
前記接触面は、前記制止部材に関連する片持ちビームであることを特徴とする、請求項４０に記載のライター。